(57)【要約】【課題】テーブルの天板に非接触電力供給部を設ける場合、テーブル天板の形状や非接触電力供給部の配設位置によっては食事などの用途で利用する場合、非接触電力供給部上に置く電気器が邪魔になるという課題を有している。【解決手段】非接触電力供給部６ａ〜６ｄをテーブルの円形の天板１の中央近傍に配置することにより、食事などでテーブルを使用しているときに、テーブルを取り囲む人からは遠くなる中央付近に電気機器を載せても邪魔にならず、食事をしながら確実に電気機器へ電力供給を行え、たとえば、電気機器の充電が可能になる。【選択図】図１
2011083407.tif 000002
【特許請求の範囲】
【請求項１】
天板と、前記天板を支える脚部と、非接触電力受給部を有する電気機器に非接触で電力供給を行う非接触電力供給部を備え、前記非接触電力供給部は前記天板の中央付近に位置するように前記天板内に配置したテーブル。
【請求項２】
天板と、前記天板を支える脚部と、非接触電力受給部を有する電気機器に非接触で電力供給を行う非接触電力供給部を備え、前記天板はその平面形状が縦横の長さは異なり、前記天板の長手方向の端部のいずれか一方または両方に位置するように非接触電力供給部が位置するように非接触電力供給部を前記天板内に配置したテーブル。
【請求項３】
天板と、前記天板を支える脚部と、非接触電力受給部を有する電気機器に非接触で電力供給を行う非接触電力供給部を備え、前記天板の上面以外の箇所に前記電気機器を収納する収納部を設け、前記収納部内に非接触電力供給部を配置したテーブル。
【請求項４】
収納部を、天板の下方に引き出し自在に設けた引き出しで構成し、非接触電力供給部は、前記引き出内面に位置するように配置した請求項３記載のテーブル。
【請求項５】
収納部を、天板の下方に引き出し自在に設けた引き出しで構成し、非接触電力供給部は、前記天板の下面で、かつ、前記引き出し内部に面している箇所に配置した請求項３記載のテーブル。
【請求項６】
収納部を、電気機器を出し入れ自在に収納するスロットで構成し、非接触電力供給部は、前記スロットの内部に配置した請求項３記載のテーブル。
【請求項７】
電気機器を装着可能なカセットを備え、収納部を、前記カセットに前記電気機器を装着した状態で収納可能なカセット収納部で構成し、非接触電力供給部は、前記カセット収納部内に配置した請求項３記載のテーブル。
【請求項８】
カセットは、非接触電力供給部からの電力を受電する受電部と、前記受電部からの電力を受け、少なくとも接触用電力需給部を有する電気機器に給電する給電回路と、前記給電回路からの電力を受け、前記電気機器の接触用電力供給部と電気接続する電気接点を備えている請求項７記載のテーブル。
【発明の詳細な説明】
【技術分野】
【０００１】
本発明は、携帯電話、パソコンなどの電気機器に非接触で電力供給を行える非接触電力供給部を備えたテーブルに関するものである。
【背景技術】
【０００２】
最近の住宅ではＬＤＫを大きくとる間取りで、食事だけでなく、さまざまな場面で家族がすごすスペースになっているのが一般的で、そのスペースに設置するダイニングテーブルは食事をするだけでなく、さまざまな用途で用いられるようになっている。たとえば、主婦の多くはパソコンを使う場合、ダイニングテーブル上にパソコンを置き、そのテーブル上で作業するようになっている。
【０００３】
このようなテーブルの多用途化に対応して、テーブルの天板下方に引き出しを設け、この引き出し内にパソコンの収納するようにし、かつ、引き出し内に電源コンセントをさらに設け、パソコンを引き出しに収納している間に電源コンセントを介してパソコンに充電を行えるようにしたテーブルが提案されている（特許文献１）。
【０００４】
一方、近年、携帯電話、パソコンなどの電気機器に非接触で電力供給を行うようにすることが注目されている。このような非接触型電力供給は電磁誘導を利用したものなどいくつかの方式があり、いずれも電力供給のための電極を接続部分に露出させる必要がないため、防水性が高い構造にでき、具体的には、水を扱う電動歯ブラシなどで実用化されている。最近では携帯電話などでも非接触電力供給により充電が行える非接触充電方式が検討されている。また電気自動車の充電方法としてもプラグ差込の手間が不要な非接触充電方式の開発が進められているなど、今後、非接触電力供給利用の電気機器が増加することが予想される。
【０００５】
上記のような非接触電力供給利用の電気機器を使用する場合の利便性を高めようという目的のため、非接触電力供給機能を持たせたものが提案されている（特許文献２）。この特許文献２には、例えば、机の天板５１ａに送電装置１が組み込まれ、この送電装置１を組み込んだ箇所５１ｂ（天板５１ａの右端）の上にパソコンや携帯電話を置き、送電装置１から非接触でパソコンや携帯電話に電力を供給することが開示されている（同文献の図５参照）。
【先行技術文献】
【特許文献】
【０００６】
【特許文献１】特開２００８−２５９７９４号公報
【特許文献２】特開２００５−１１０４１２号公報
【発明の概要】
【発明が解決しようとする課題】
【０００７】
上記特許文献１では、電源コンセントをテーブルの引出し内に設置して、電気機器収納時に充電したり、電源コンセントに電気機器の電源コードを接続したまま使用するなど、利便性を高める提案がなされているが、電気機器を使用するに当たっては基本的には電源コードを差し込んだ状態で使用するので、電源コードに設けられたＡＣアダプターが必要以上に大きく、その分引出し内のスペースをとってしまい、引き出しの内部空間の有効活用ができないという課題を有している。
【０００８】
また、上記特許文献２では、食卓やデスク、収納スペースなどに非接触給電機能である
送電装置を設置しているが、少なくとも食事を行う用途のテーブルにおいて、食事の邪魔になることがなく電気機器へ充電が行えるような、非接触電力供給部の形態、位置などについては考慮されておらず、  快適な食事、すなわち、テーブル上にお皿、鍋などを食事しやすいように配列することが可能で、電気機器にも充電などの電力供給を可能にすることができないという課題を有していた。
【０００９】
本発明は上記の課題を解決し、非接触電力供給機能を使う場合に利便性の高い、テーブルを提供するものである。
【課題を解決するための手段】
【００１０】
上記課題を解決するために、本発明は、非接触電力供給部をテーブルの天板上面の端部や中央近傍、ラック、スロットなどに設置するものである。
【００１１】
これにより、食事やその他さまざまな用途でテーブルを利用する場合においても、電気機器へ非接触電力供給が邪魔にならずテーブルの利便性を向上させることができる。
【発明の効果】
【００１２】
本発明のテーブルは、食事などの用途で利用する場合においても、電気機器への非接触電力供給の邪魔にならず、確実に電気機器へ電力供給でき、利便性を高めることができる。
【図面の簡単な説明】
【００１３】
【図１】（Ａ）本発明の実施の形態１を示す円形テーブルの平面図、（Ｂ）同長方形テーブルの平面図
【図２】（Ａ）本発明の実施の形態２を示すテーブルの要部斜視図、（Ｂ）同テーブルの要部を示す内部透視側面図
【図３】（Ａ）本発明の実施の形態３を示すテーブルの要部斜視図、（Ｂ）同テーブルの要部を示す内部透視側面図
【図４】本発明の実施の形態４を示すテーブルの要部の内部透視側面図
【図５】（Ａ）本発明の実施の形態５を示すテーブルの要部斜視図、（Ｂ）同テーブルの要部を示す内部透視側面図
【図６】（Ａ）本発明の実施の形態６を示すテーブルの要部斜視図、（Ｂ）同非接触電力充電機能付の携帯電話とそれを装着するカセットとの装着前の斜視図、（Ｃ）同接触電力充電機能付の携帯電話とそれを装着するカセットとの装着前の斜視図
【発明を実施するための形態】
【００１４】
第１の発明は、天板と、前記天板を支える脚部と、非接触電力受給部を有する電気機器に非接触で電力供給を行う非接触電力供給部を備え、前記非接触電力供給部は前記天板の中央付近に位置するように前記天板内に配置するものであり、上記のように構成されたテーブルを食事などに利用する場合、天板の中央部を外して皿などの食器を天板上に配置でき、食事をスムーズに行うことができると共に、テーブルを囲んで座っている人から遠い位置であるテーブル中央部には非接触電力供給部を有する電気機器を載置しても邪魔にならない。
【００１５】
第２の発明は、天板と、前記天板を支える脚部と、非接触電力受給部を有する電気機器に非接触で電力供給を行う非接触電力供給部を備え、前記天板はその平面形状が縦横の長さは異なり、前記天板の長手方向の端部のいずれか一方または両方に位置するように非接触電力供給部が位置するように非接触電力供給部を前記天板内に配置するものであり、上記のように構成されたテーブルを囲んでの食事を行う際に、長方形の天板の場合にはテーブルを囲む人から天板中央付近までの距離は第１の発明の天板が円形の場合に比べ近く、
鍋や調味料などをテーブル中央付近におく方が使い勝手が良くなる。このような天板形状の場合には、その長手方向の端部は食器などを置かなくても食事などに支障が出にくく、この端部に非接触電力供給部を有する電気機器を載置しても邪魔にならない。
【００１６】
第３の発明は、天板と、前記天板を支える脚部と、非接触電力受給部を有する電気機器に非接触で電力供給を行う非接触電力供給部を備え、前記天板の上面以外の箇所に前記電気機器を収納する収納部を設け、前記収納部内に非接触電力供給部を配置するものあり、食事などのテーブルに様々なものを置くような場合でも、非接触電力受給部を有する電気機器は天板以外の部分に設置、電力供給されるので邪魔にならない。
【００１７】
第４の発明は、第３の発明の収納部を、天板の下方に引き出し自在に設けた引き出しで構成し、非接触電力供給部は、前記引き出し内面に位置するように配置するものであり、食事などをするときに非接触電力受給部を有する電気機器は天板以外の部分、すなわち、引き出し内に配置して非接触電力供給することができる。
【００１８】
第５の発明は、第３の発明の収納部を、天板の下方に引き出し自在に設けた引き出しで構成し、非接触電力供給部は、前記天板の下面で、かつ、前記引き出し内部に面している箇所に配置するものであり、引き出し内に、電源コンセントやＡＣアダプターを配置する必要がないので、引き出しの容量を大きく取ることができ、また引き出しが上記電源コンセントやＡＣアダプターの分重くなることがないので、引き出しの操作が容易になる。
【００１９】
第６の発明は、第３の発明の収納部を、電気機器を出し入れ自在に収納するスロットで構成し、非接触電力供給部は、前記スロットの内部に配置するものであり、非接触電力受給部を有する電気機器をスロット内に装着すれば確実に電力供給を行うことができる。
【００２０】
第７の発明は、第３の発明において、電気機器を装着可能なカセットを備え、収納部を、前記カセットに前記電気機器を装着した状態で収納可能なカセット収納部で構成し、非接触電力供給部は、前記カセット収納部内に配置するものであり、非接触電力受給部を有する電気機器をカセットに簡単に装着し、そしてカセットに装着したまま電気機器をカセット収納部に押し込むので、その押し込む際に電気機器に力がかかって損傷するおそれがなくなる。
【００２１】
第８の発明は、第７の発明のカセットが、非接触電力供給部からの電力を受電する受電部と、前記受電部からの電力を受け、少なくとも接触用電力需給部を有する電気機器に給電する給電回路と、前記給電回路からの電力を受け、前記電気機器の接触用電力供給部と電気接続する電気接点を備えていることを特徴とするものであり、前記カセットがＡＣアダプターの機能を果たすので、充電の際にＡＣアダプターが邪魔になることがない。
【００２２】
以下、本発明の実施の形態について、図面を用いて詳細に説明する。なお、本実施の形態によって本発明が限定されるものではない。
【００２３】
（実施の形態１）
図１（Ａ）は、本発明の第１の実施の形態における、円形の天板１の上面中央近傍に４つの非接触電力供給部を有するテーブルを示すものである。また図１（Ｂ）は、長方形の天板１の長手方向（長辺）の端部近傍に４つの非接触電力供給部を有するテーブルを示すものである。
【００２４】
図１（Ａ）において、６ａ〜６ｄは非接触電力供給部であり、テーブル天板の中央付近に配置されている。図１（Ａ）のように、テーブルの天板１を囲んで４人が席についた状態で飲食などを行う場合、天板１の中央付近が席についた人から最も遠い位置に当たるの
で、その位置に食器などを置くことが少なく、すなわち、もっとも邪魔にならない。したがって、この天板１の中央付近に非接触電力受給部を有する電気機器を載置しても邪魔にならず、食事などをしながらこれら電気機器に非接触電力供給部６ａ〜６ｄから電力供給され、例えば、電気機器への充電を食事などのときにも行うことができる。また、テーブルを囲んで着席している全ての人がほぼ同等の使いやすさで使用することができる。
【００２５】
図１（Ｂ）に示すように、天板１が長方形であるテーブルの長手方向の両端部に、２箇所ずつ非接触電力供給部６ａ〜６ｄを設置している。このような長方形の天板１のテーブルを囲んで４人が席についている状態で、飲食したりテーブルにパソコンを使ったり、本、新聞を広げて読む場合非接触電力供給部６ａ〜６ｄは天板１の両端部であるので、その上に、携帯電話などの非接触電力受給部を有する電気機器を置いたとしても邪魔になることなく電力供給を行い、充電することもできる。
【００２６】
特に、長方形の天板１のテーブルで食事する際には、着席している人すべてが使う調味料などは中央付近に置くことが多く、また鍋物をする場合、鍋は中央に置くことが多いので、そのような場合でも、邪魔になることなく電気機器を天板１上に置き、電力供給することができ、非常に使い勝手がよくなる。
【００２７】
なお、図１（Ａ）では、天板形状が円形の場合を示したが、多角形や、縦横の長さが異なる形状、非対称な形状の天板であっても同様の効果を得ることができる。
【００２８】
また、図１（Ｂ）では天板が長方形である場合を示したが、楕円形や非対称の形状であっても同様の効果を得ることができる。
【００２９】
また、本実施の形態では、非接触電力供給部の数が着席した人数と同じ場合を示しているが、着席する人数は場合により異なるし、非接触電力供給を利用したい機器が人数と同じとは限らないので、非接触電力供給部の数は適宜、決定すればよい。
【００３０】
さらに、図１はテーブルの平面図であるので、天板１の脚部は図示していないが、例えば、図２に示すように天板１の下方に複数の脚部を設けるようにしておけばよいことは言うまでもない。
【００３１】
（実施の形態２）
本発明の第２の実施の形態として、図２を一例に説明する。図２（Ａ）に示すように、天板１の４隅のコーナー部に付近には４本の脚２に設け、この脚２の少なくとも１本には、非接触電力受給部を有する電気機器の一種である携帯電話を収納できるラック２１が設けている。このラック２１は図２（Ｂ）に示すように、非接触充電機能付の携帯電話１０を収納するように構成している。ラック２１を取付ける脚２にはそのラック２１内に収納する携帯電話１０内に電力供給するように非接触電力供給部６を設けている。非接触充電機能付の携帯電話１０の非接触電力受給部２０と相対する位置になるよう、脚２内に埋設している。
【００３２】
非接触充電機能付の携帯電話などの電気機器を充電する際、テーブルの天板１の上面に置いておく方式は、置くだけで充電できるので非常に使いやすいが、テーブルで何か別のことをしていると、気づかないうちに物がぶつかって携帯電話などの電気機器が動いてしまい、充電できていなかったり、テーブルから落ちてしまうことも考えられるが、上記図２のような構造にすれば、テーブルの天板１の上で何をしている場合でも、邪魔にならないし、ラック２１に収納するだけで最適の位置に非接触充電機能付の携帯電話１０をセットできるので確実に電力供給し、充電することができる。
【００３３】
なお、本実施の形態ではラック２１をテーブルの脚２に設置しているが、天板１の側面など天板１の上面と異なる箇所に設置しても良い。
【００３４】
また、本実施の形態では非接触電力供給可能な電気機器が携帯電話であり、ラック２１は前記非接触充電機能付の携帯電話１０が収納できる形状のものとしているが、非接触電力供給可能な電気機器が携帯電話以外の電気機器であって、ラック２１がそれを収納できる形状であれば良いし、さらにラック２１が着脱・交換可能としても良い。
【００３５】
（実施の形態３）
本発明の第３の実施の形態として、図３を一例に説明する。図３（Ａ）に示すように、天板１の下方に引き出し自在に取付けられた引き出し３内には、非接触電力供給可能な電気機器を収納するスペースが設けられ、そこに非接触充電機能付の携帯電話１０を収納している。
【００３６】
図３（Ｂ）に図３（Ａ）の状態の引き出し部分を側面から見た状態を示しており、天板１の下面の非接触電力供給可能な電気機器（例えば、携帯電話１０）内には非接触電力受給部２０を設け、この非接触電力供給部２０と相対する位置、一例として引き出し３の底板に非接触電力供給部６を設けている。
【００３７】
このような構造にすれば、引き出し３に収納しておくことで食事などの際に邪魔になることなく、非接触充電機能付の携帯電話などの電気機器に電力供給し、充電することができ、また取り出しも容易になる。
【００３８】
なお、本実施の形態では、テーブルに引き出し３がひとつだけ備えられたものを示しているが、複数の引き出しが備えられ、それらのうちの全部またはいくつかに非接触電力供給部を備えていても良い。
【００３９】
また、本実施の形態ではひとつの引き出し３にひとつの非接触電力供給部６を備えているが、ひとつの引き出し３に複数の非接触電力供給部６を設けても良い。
【００４０】
（実施の形態４）
本発明の第４の実施の形態として、図４を一例に説明する。図４に示すように、前記天板１の下方に引き出し自在に取付けた引き出し３を設け、この引き出し３の内部に面している天板１の下面側に非接触電力供給部６を設けている。
【００４１】
このような構造であれば、引き出し３には非接触電力供給部６のような電気回路を内蔵する必要がないので、収納容積を大きくとることができ、また引き出し３の重量も上記電気回路を内蔵しない分、軽くなるので、引き出しやすくなる。
【００４２】
なお、本実施の形態では、テーブルに引き出し３がひとつだけ備えられているが、複数の引き出しが備えられ、それらに非接触電力供給部を備えていても良い。
【００４３】
また、本実施の形態ではひとつの引き出し３にひとつの非接触電力供給部を備えているが、ひとつの引き出し３に複数の非接触電力供給部を設けても良い。
【００４４】
（実施の形態５）
本発明の第５の実施の形態として、図５を一例に説明する。図５（Ａ）に示すように、天板１の側面にスロット２２を設け、その内部に非接触電力供給部６が設置されている。また、図５（Ｂ）に示すように、前記スロット２２に非接触充電機能付の携帯電話１０が収納されており、非接触充電機能付の携帯電話１０の非接触電力受給部２０が非接触電力
供給部６に向かい合う位置で、携帯電話１０が収納される。カバー２７はスロット２２に異物が入ったり、挿入されている非接触充電機能付の携帯電話１０に物がぶつからないように、天板１に設けたスロット２２の側方開口部を開閉自在に覆うようにして保護している。
【００４５】
本発明のようにテーブル側面のスロット２２に充電する電気機器を挿入する方式にすれば、充電のための電気機器の装着が容易で、しかも位置が固定されるので確実に充電することができる。
【００４６】
なお、本実施の形態では、スロット２２をテーブルの天板１の側面に備えている場合を示しているが、テーブルの脚２など他の部位に備えてあっても良い。
【００４７】
また、本実施の形態では、スロット２２は非接触充電機能付の携帯電話１０を縦方向に挿入するようにしているが、どのような方向に挿入する形状であってもかまわない。
【００４８】
また、スロット２２にはカバー２７が設けられているが、必要性が低い場合はなくても良い。
【００４９】
（実施の形態６）
本発明の第６の実施の形態として、図６を一例に説明する。図６（Ａ）に示すように、天板１の側面にカセット収納部２５を設け、カセット収納部２５の内部に非接触電力供供給部６が設置されており、カセット２３がカセット収納部２５に出し入れ自在に収納される。図６（Ｂ）に示すように、非接触充電機能付の携帯電話１０は上面と一側面を開放したカセット２３の上方からカセット２３側に押し付ける（矢印方向に押し付ける）ことで装着する。
【００５０】
非接触充電機能付の携帯電話１０が装着されたカセット２３をカセット収納部２５に収納する場合、非接触充電機能付の携帯電話１０をカセット収納部２５内へ直接押し込む必要がないので、非接触充電機能付の携帯電話１０に無理な力がかかるなどによる損傷の恐れをなくすことができる。
【００５１】
また図６（Ｃ）には、非接触充電できない、すなわち、接触充電機能付の携帯電話１２に充電するための接触充電機器用カセット２４を示している。この接触充電機器用カセット２４には、セットする接触充電の電気機器の充電部の接点に接するように、充電用接点２６を設けており、テーブルの非接触電力供給部から送られた電力は、接触充電用カセット２４の非接触電力受給部２０に入り、接触充電機器用カセット２４に内蔵された給電回路部２８を経て充電用接点２６から電気機器に電力を送り充電する。
【００５２】
このように接触充電機器用カセット２４に非接触電力受給部２０と充電用接点２６と充電に必要な回路を内蔵させて、接触充電機器用カセット２４にＡＣアダプターの機能を持たせることにより、非接触充電ができない電気機器への充電が可能になる。
【００５３】
なお、本実施の形態では、接触充電機器用カセット２４を挿入するカセット収納部２５をテーブルの天板１の側面に備えている場合を示しているが、テーブルの脚部など他の部位に備えてあっても良い。
【産業上の利用可能性】
【００５４】
以上のように、本発明にかかるテーブルは、食事などの用途で利用する場合においても、電気機器への非接触電力供給の邪魔にならず、確実に電気機器へ電力供給でき、利便性を高めることができるので、携帯電話、パソコンなどの電気機器に非接触で電力供給を行
える非接触電力供給部を備えたテーブル適用できる。
【符号の説明】
【００５５】
１  天板
２  脚
３  引き出し
６  非接触電力供給部
６ａ  非接触電力供給部
６ｂ  非接触電力供給部
６ｃ  非接触電力供給部
６ｄ  非接触電力供給部
１０  携帯電話（電気機）
１１  パソコン（電気機器）
１２  携帯電話（電気機器）
２０  非接触電力受給部
２１  ラック
２２  スロット
２３  カセット
２４  接触充電機器用カセット
２５  カセット収納部
２６  充電用接点
２８  給電回路部
【図１】
2011083407.tif 000003
【図２】
2011083407.tif 000004
【図３】
2011083407.tif 000005
【図４】
2011083407.tif 000006
【図５】
2011083407.tif 000007
【図６】
2011083407.tif 000008